(57)【特許請求の範囲】
【請求項１】
印影画像である第１画像を取得し、
前記第１画像を分割した分割領域ごとに前記分割領域内の画像のみを残した第２画像をそれぞれ生成し、
前記第１画像の印影色の画像である第３画像を生成し、
表示順序を指定した前記第２画像と前記第３画像とを含む第４画像を生成する、
処理を情報処理装置に実行させる印影画像処理プログラム。
【請求項２】
前記分割領域は、
前記第１画像における前記印影の形状に応じて分割した領域であり、かつ、前記印影色を含む領域である、
請求項１記載の印影画像処理プログラム。
【請求項３】
前記分割領域は、
前記第１画像を予め定められた分割数に応じて分割した領域であり、かつ、前記印影色を含む領域である、
請求項１記載の印影画像処理プログラム。
【請求項４】
前記表示順序は、
予め定められた数の前記第２画像を表示した後で前記第３画像を表示する順序である、
請求項１記載の印影画像処理プログラム。
【請求項５】
前記表示順序は、
前記第２画像を少なくとも１枚表示した後で前記第３画像を表示し、かつ、最後に前記第３画像を表示する順序である、
請求項１記載の印影画像処理プログラム。
【請求項６】
前記印影色は、
前記第１画像における前記印影色と同一色または類似色を含む、
請求項１記載の印影画像処理プログラム。
【請求項７】
情報処理装置が、
予め登録されている印影画像である第１画像を取得し、
前記第１画像を分割した分割領域ごとに前記分割領域内の画像のみを残した第２画像をそれぞれ生成し、
前記第１画像の印影色の画像である第３画像を生成し、
表示順序を指定した前記第２画像と前記第３画像とを含む第４画像を生成する、
処理を実行する印影画像処理方法。
【請求項８】
予め登録されている印影画像である第１画像を取得し、
前記第１画像を分割した分割領域ごとに前記分割領域内の画像のみを残した第２画像を生成し、
前記第１画像の印影色の画像である第３画像を生成し、
表示順序を指定した前記第２画像と前記第３画像とを含む第４画像を生成する、
制御部を有する情報処理装置。
【発明の詳細な説明】
【技術分野】
【０００１】
本発明は、印影画像処理プログラム、印影画像処理方法および情報処理装置に関する。
【背景技術】
【０００２】
公共機関や金融機関などの手続において、手続者の本人確認が求められる場合がある。手続者の本人の確認は、身分証明書の提示や印鑑の印影の認証によって行われることがある。
【０００３】
たとえば、金融機関は、予め登録されている登録印の印影と、手続者が手続時に捺印した印章（被照合印）の印影とを照合し、本人確認を行う。登録印の印影と被照合印の印影が相違する場合、本人確認ができないため金融機関は手続を行わない。このような印影の照合を行うために、金融機関の担当者は、端末装置の画面に登録印の印影画像を表示し、手続者が書類に捺印した印影と比較し、印影の照合をする場合がある。
【０００４】
なお、印影画像を用いた技術として、割印画像の偽造が困難な割印処理方法が知られている。
金融機関の担当者が顧客先へ出向いて手続きを行う際に、担当者が持参した端末に登録印の印影画像を表示するとともに、顧客が書類に捺印した印影を担当者が視認することで、印影画像と捺印した印影とを照合することがある。
【先行技術文献】
【特許文献】
【０００５】
【特許文献１】特開２００１−０７１５７９号公報
【発明の概要】
【発明が解決しようとする課題】
【０００６】
金融機関の担当者が顧客先へ出向いて登録印の印影画像を表示する際に、顧客先においては、金融機関の内部で手続を行うよりもセキュリティ確保が難しい場合がある。また、近年、撮影機能を含む端末の多様化や小型化などに伴い、金融機関の担当者が印影画像の盗撮に気づきにくい場合がある。
【０００７】
このため、登録印の印影画像を表示する際に、印影画像を表示した端末を盗撮されることによる印鑑の偽造防止が望まれている。
一側面では、本発明は、印影画像の表示におけるセキュリティを向上できる印影画像処理プログラム、印影画像処理方法および情報処理装置を提供することを目的とする。
【課題を解決するための手段】
【０００８】
上記目的を達成するために、以下に示すような印影画像処理プログラムを提供する。印影画像処理プログラムは、印影画像である第１画像を取得し、第１画像を分割した分割領域ごとに分割領域内の画像のみを残した第２画像をそれぞれ生成し、第１画像の印影色の画像である第３画像を生成し、表示順序を指定した第２画像と第３画像とを含む第４画像を生成する処理を情報処理装置に実行させる。
【発明の効果】
【０００９】
一態様によれば、印影画像の表示におけるセキュリティを向上できる印影画像処理プログラム、印影画像処理方法および情報処理装置を提供できる。
【図面の簡単な説明】
【００１０】
【図１】第１の実施形態の情報処理装置の一例を示す図である。
【図２】第２の実施形態の印影画像処理システムの一例を示す図である。
【図３】第２の実施形態のサーバのハードウェア構成の一例を示す図である。
【図４】第２の実施形態の印影画像登録情報の一例を示す図である。
【図５】第２の実施形態のサーバ処理のフローチャートを示す図である。
【図６】第２の実施形態の印影画像分割処理のフローチャートを示す図である。
【図７】第２の実施形態の分割領域の設定イメージの一例を示す図である。
【図８】第２の実施形態の分割画像の一例を示す図である。
【図９】第２の実施形態の分割画像の表示順序の一例を示す図である。
【図１０】第２の実施形態の塗潰し画像差込処理のフローチャートを示す図である。
【図１１】第２の実施形態の分割画像および塗潰し画像の表示順序の一例を示す図である。
【図１２】第２の実施形態の画像送信処理のフローチャートを示す図である。
【図１３】第２の実施形態の画像ファイルの一例を示す図である。
【図１４】第２の実施形態のクライアント処理のフローチャートを示す図である。
【図１５】第２の実施形態のクライアントで表示する画像ファイルの一例を示す図である。
【発明を実施するための形態】
【００１１】
以下、図面を参照して実施の形態を詳細に説明する。
［第１の実施形態］
まず、第１の実施形態の情報処理装置について図１を用いて説明する。図１は、第１の実施形態の情報処理装置の一例を示す図である。
【００１２】
情報処理装置１は、印影画像を処理する装置である。情報処理装置１は、制御部２を有する。制御部２が実行する処理は、印影画像を処理するプログラムとして提供できる。
制御部２は、印影画像である第１画像３を取得する。たとえば、制御部２は、公共機関や金融機関のデータベースに予め登録されている登録印の印影画像のデータを第１画像３として取得する。
【００１３】
制御部２は、第１画像３を分割した分割領域ごとに分割領域内の画像のみを残した第２画像をそれぞれ生成する。言い換えると、制御部２は、第１画像３を分割した分割領域それぞれについて、分割領域以外の部分を第１画像３における背景の色に基づき塗潰し第１画像３と同じサイズとした画像である第２画像Ａ４ａと第２画像Ｂ４ｂとを生成する。たとえば、制御部２は、第１画像３を上下に分割した分割領域それぞれについて、分割領域以外の部分を背景色とした第２画像Ａ４ａ、第２画像Ｂ４ｂを生成する。背景色とは、印影画像における印影色以外の色である。たとえば、第１画像３が黒色と白色の２色の画像であり、印影色が黒色である場合、背景は白色となる。
【００１４】
制御部２は、第１画像３の印影色の画像である第３画像５を生成する。言い換えると、制御部２は、第１画像３を第１画像３における印影の色に基づき塗潰した画像である第３画像５を生成する。たとえば、印影色が黒色である場合、制御部２は、第１画像３と同じ大きさ（同じ画像サイズ）を黒色で塗潰した画像を第３画像５として生成する。
【００１５】
制御部２は、表示順序を指定した第２画像Ａ４ａと第２画像Ｂ４ｂと第３画像５とを含む第４画像を生成する。たとえば、制御部２は、第２画像Ａ４ａを、表示順序「１」の第４画像Ａ６ａとする。また、制御部２は、第３画像５を、表示順序「２」の第４画像Ｂ６ｂとする。また、制御部２は、第２画像Ｂ４ｂを、表示順序「３」の第４画像Ｃ６ｃとする。また、制御部２は、第３画像５を、表示順序「４」とする第４画像Ｄ６ｄとする。
【００１６】
情報処理装置１は、第４画像Ａ６ａと、第４画像Ｂ６ｂと、第４画像Ｃ６ｃと、第４画像Ｄ６ｄとを表示順序に従って連続表示させることにより、１つの印影が表示された画像として人間に目視させることが可能である。しかし、カメラなどの撮影機器で撮影した場合、第４画像Ａ６ａ、第４画像Ｂ６ｂ、第４画像Ｃ６ｃ、第４画像Ｄ６ｄのいずれかが撮影されることとなる。このため、第４画像を連続表示した画像について、撮影機器が印影の全体を撮影することは困難である。
【００１７】
また、情報処理装置１は、第２画像を連続表示し１つの印影として表示される周期において、第３画像を少なくとも２枚表示する表示順序とする。これにより、情報処理装置１が表示した印影画像について、撮影機器が撮影速度を変更して撮影した場合であっても、第２画像のみを連続して撮影できず、第３画像が撮影されることとなる。このため、第４画像を連続表示した画像について、撮影機器が印影の全体を撮影することは困難である。
【００１８】
このようにして、情報処理装置１は、印影画像を表示する際に、表示した印影画像を盗撮されることによる印鑑の偽造防止を図ることができる。また、情報処理装置１は、印影画像の表示におけるセキュリティを向上できる。
【００１９】
［第２の実施形態］
次に、第２の実施形態として、情報処理装置１をサーバに適用した印影画像処理システムについて図２を用いて説明する。図２は、第２の実施形態の印影画像処理システムの一例を示す図である。
【００２０】
金融機関や公共機関などにおける印影画像処理システム４００は、予め登録されている印章（登録印）の印影画像を、要求に応じて提供するシステムである。
印影画像処理システム４００は、複数のクライアント１００，１１０を含み、クライアント１００，１１０はサーバ３００とネットワーク２００を介して情報を送受信する。
【００２１】
サーバ３００は、データベース３５０を管理し、クライアント１００，１１０との間で印影画像の処理に用いる情報の送受信を行うコンピュータなどの情報処理装置である。また、サーバ３００は、クライアントから送信されたパスワードの認証処理や、データベース３５０に保持された印影画像の画像処理ができる。
【００２２】
データベース３５０は、登録印の印影画像を保持するデータベースである。データベース３５０は、クライアントからの印影画像の要求に先立ち、予め印影画像を保持する。データベース３５０は、印影画像と対応づけて、支店番号や口座番号などを保持する。なお、支店番号や口座番号などは、印影画像を特定する識別情報に相当する。
【００２３】
ネットワーク２００は、クライアント１００，１１０とサーバ３００との間で情報を送受信する有線ネットワークや無線ネットワークなど、各種ネットワークを含む。
クライアント１００，１１０は、サーバ３００と情報を送受信するコンピュータなどの情報処理装置である。クライアント１００はコンピュータの一例であり、クライアント１１０は携帯端末やタブレット端末などの一例である。なお、これらはクライアントの一例に過ぎず、その他の装置をクライアントとして用いてもよい。
【００２４】
ここで、金融機関などの担当者が、クライアントを用いて印影画像を表示する処理について説明する。担当者は、クライアントでログインＩＤ（Identifier）とパスワードを入力し、ネットワーク２００を介してサーバ３００へログインする。サーバ３００におけるログイン認証後、担当者は、クライアントを用いて支店番号や口座番号などの識別情報を入力し、サーバ３００へ送信する。担当者は、クライアントを用いて、識別情報に対応する印影画像をサーバ３００から受信する。担当者は、受信した印影画像をクライアントで表示し、印影を目視する。
【００２５】
次に、第２の実施形態のサーバのハードウェア構成について図３を用いて説明する。図３は、第２の実施形態のサーバのハードウェア構成の一例を示す図である。
サーバ３００は、制御部３１０を含む。制御部３１０は、プロセッサ３１１、ＲＡＭ（Random Access Memory）３１２、ＨＤＤ（Hard Disk Drive）３１３、入出力信号インタフェース３１４、記憶媒体インタフェース３１５、通信インタフェース３１６を含む。サーバ３００は、プロセッサ３１１によって装置全体が制御されている。プロセッサ３１１には、バス３１７を介してＲＡＭ３１２と複数の周辺機器が接続されている。プロセッサ３１１は、マルチプロセッサであってもよい。プロセッサ３１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ３１１は、ＣＰＵ、ＭＰＵ、ＤＳＰ、ＡＳＩＣ、ＰＬＤのうちの２以上の要素の組み合わせであってもよい。
【００２６】
ＲＡＭ３１２は、サーバ３００の主記憶装置として使用される。ＲＡＭ３１２には、プロセッサ３１１に実行させるＯＳ（Operating System）のプログラムやアプリケーションプログラムの少なくとも一部が一時的に記憶される。また、ＲＡＭ３１２には、プロセッサ３１１による処理に必要な各種データが記憶される。
【００２７】
バス３１７に接続されている周辺機器としては、ＨＤＤ３１３、入出力信号インタフェース３１４、記憶媒体インタフェース３１５および通信インタフェース３１６がある。
ＨＤＤ３１３は、内蔵したディスクに対して、磁気的にデータの書き込みおよび読み出しを行う。ＨＤＤ３１３は、サーバ３００の補助記憶装置として使用される。ＨＤＤ３１３には、ＯＳのプログラム、アプリケーションプログラム、および各種データが記憶される。なお、ＨＤＤ３１３に限らず、ＳＳＤ（Solid State Drive）を使用することもできる。なお、補助記憶装置としては、フラッシュメモリなどの半導体記憶装置を使用することもできる。
【００２８】
入出力信号インタフェース３１４には、入出力デバイス３１８が接続されている。入出力デバイス３１８は、入力デバイスと出力デバイスを含む。入力デバイスの一例として、キーボードや、マウスや、タッチパネルなどがある。また、出力デバイスの一例には、モニタや、液晶表示や、各種パネル表示装置などがある。
【００２９】
入出力信号インタフェース３１４は、キーボードやマウスから送られてくる信号をプロセッサ３１１に送信する。なお、マウスは、ポインティングデバイスの一例であり、他のポインティングデバイスを使用することもできる。他のポインティングデバイスとしては、タッチパネル、タブレット、タッチパッド、トラックボールなどがある。
【００３０】
入出力デバイス３１８の出力デバイスは、プロセッサ３１１からの命令に従って、画像をモニタ画面に表示させる。モニタとしては、ＣＲＴ（Cathode Ray Tube）を用いた表示装置や液晶表示装置などがある。
【００３１】
記憶媒体インタフェース３１５は、磁気やレーザなどを利用して記憶媒体３１９に記録されたデータの読み取りや書き込みを行う。また、記憶媒体インタフェース３１５は、半導体メモリなどの記憶媒体に記録されたデータの読み取りを行うものであってもよい。記憶媒体３１９とは、たとえば、光ディスクや、フラッシュメモリなどの半導体メモリなどを含む。光ディスクは、光の反射によって読み取り可能なようにデータが記録された可搬型の記録媒体である。光ディスクには、ＤＶＤ（Digital Versatile Disc）、ＤＶＤ−ＲＡＭ、ＣＤ−ＲＯＭ（Compact Disc ？ Read Only Memory）、ＣＤ−Ｒ（Recordable）／ＲＷ（ReWritable）などがある。
【００３２】
記憶媒体インタフェース３１５は、サーバ３００に周辺機器を接続するための通信インタフェースとしても用いることができる。たとえば、記憶媒体インタフェース３１５には、メモリ装置やメモリリーダライタを接続することができる。メモリ装置は、記憶媒体インタフェース３１５との通信機能を搭載した記録媒体である。メモリリーダライタは、メモリカードへのデータの書き込み、またはメモリカードからのデータの読み出しを行う装置である。メモリカードは、カード型の記録媒体である。
【００３３】
通信インタフェース３１６は、データベース３５０とネットワーク２００に接続されている。通信インタフェース３１６は、他のコンピュータ、記憶装置、または通信機器との間でデータの送受信を行う。
【００３４】
以上のようなハードウェア構成によって、第２の実施形態のサーバ３００の処理機能を実現することができる。なお、第１の実施形態の情報処理装置１も、図３に示したサーバ３００のハードウェア構成で実現できる。なお、第２の実施形態のクライアントも、図３に示したサーバ３００のハードウェア構成で実現できる。
【００３５】
サーバ３００は、たとえばコンピュータ読み取り可能な記録媒体に記録されたプログラムを実行することにより、第２の実施の形態の処理機能を実現する。サーバ３００に実行させる処理内容を記述したプログラムは、様々な記録媒体に記録しておくことができる。たとえば、サーバ３００に実行させるプログラムをＨＤＤ３１３に記憶しておくことができる。プロセッサ３１１は、ＨＤＤ３１３内のプログラムの少なくとも一部をＲＡＭ３１２にロードし、プログラムを実行する。また、サーバ３００に実行させるプログラムを、光ディスク、メモリ装置、メモリカードなどの可搬型記録媒体に記録しておくこともできる。可搬型記録媒体に記憶されたプログラムは、たとえばプロセッサ３１１からの制御により、ＨＤＤ３１３にインストールされた後、実行可能となる。またプロセッサ３１１が、可搬型記録媒体から直接プログラムを読み出して実行することもできる。
【００３６】
次に、印影画像登録情報について図４を用いて説明する。図４は、第２の実施形態の印影画像登録情報の一例を示す図である。
印影画像登録情報５００は、予め登録された登録印に係る情報であり、データベース３５０に記憶される。
【００３７】
印影画像登録情報５００は、店番号と科目コードと口座番号と登録印の印影画像とを含む。店番号は、金融機関などの本店や支店を識別する符号である。科目コードは、普通口座、当座口座、貯蓄口座などの口座種別を識別する符号である。口座番号は、口座を識別する符号である。印影画像は、口座に対応する登録印の印影画像のイメージデータである。なお、印影画像登録情報に、口座所有者の氏名や法人名などを含めることもできる。なお、店番号と科目コードと口座番号は、識別情報の一例に過ぎず、他のものを識別情報としてもよい。
【００３８】
次に、第２の実施形態のサーバ処理について図５を用いて説明する。図５は、第２の実施形態のサーバ処理のフローチャートを示す図である。
サーバ処理は、サーバ３００が実行する処理の全体の流れを示したものである。制御部３１０のプロセッサ３１１は、クライアントからのログインを認証し許可した後で、サーバ処理を実行する。
【００３９】
［ステップＳ１１］プロセッサ３１１は、クライアントから印影画像要求を受信する。印影画像要求は、印影画像を要求する情報であり、印影画像を特定する識別情報が含まれている。プロセッサ３１１は、たとえば、識別情報として、店番号、科目コード、口座番号を受信する。
【００４０】
［ステップＳ１２］プロセッサ３１１は、印影画像要求で特定された印影画像を、データベース３５０から取得する。
［ステップＳ１３］プロセッサ３１１は、印影画像分割処理を実行する。印影画像分割処理は、取得した印影画像を分割し、分割画像を生成する処理である。印影画像分割処理は、図６を用いて後で説明する。
【００４１】
［ステップＳ１４］プロセッサ３１１は、塗潰し画像差込処理を実行する。塗潰し画像差込処理は、印影画像分割処理で生成した分割画像の間に、塗潰し画像を差し込む処理である。塗潰し画像差込処理は、図１０を用いて後で説明する。
【００４２】
［ステップＳ１５］プロセッサ３１１は、画像送信処理を実行する。画像送信処理は、分割画像と塗潰し画像とをクライアントへ送信する処理である。画像送信処理は、図１２を用いて後で説明する。
【００４３】
次に、第２の実施形態の印影画像分割処理について図６〜９を用いて説明する。図６は、第２の実施形態の印影画像分割処理のフローチャートを示す図である。図７は、第２の実施形態の分割領域の設定イメージの一例を示す図である。図８は、第２の実施形態の分割画像の一例を示す図である。図９は、第２の実施形態の分割画像の表示順序の一例を示す図である。
【００４４】
印影画像分割処理は、取得した印影画像を分割し、分割画像を生成する処理である。印影画像分割処理は、サーバ処理のステップＳ１３で、制御部３１０のプロセッサ３１１が実行する処理である。
【００４５】
［ステップＳ２１］プロセッサ３１１は、取得した印影画像の水平方向画像分割サイズを決定する。ここで、水平方向画像分割サイズについて、分割領域の設定イメージ６００（図７に示す）を用いて説明する。水平方向画像分割サイズ６０２（図７に示す）は、印影画像の水平方向の長さである水平方向画像サイズ６０１（図７に示す）を水平方向分割数で割った値である。水平方向分割数は、予め定められた数であっても良いし（たとえば、図７においては「４」）、管理者が設定する値であってもよい。また、水平方向分割数は、印影表示部分６０６（図７に示す）の形状や文字サイズなどに応じて設定する値であってもよい。なお、印影表示部分６０６は、印影画像における印影を表示した部分である（たとえば、図７においては印文「澤田」を囲む円形枠および円形枠内側の部分）。
【００４６】
［ステップＳ２２］プロセッサ３１１は、取得した印影画像の垂直方向画像分割サイズを決定する。垂直方向画像分割サイズ６０４（図７に示す）は、印影画像を垂直方向の長さである垂直方向画像サイズ６０３（図７に示す）を垂直方向分割数で割った値である。なお、図７において、水平方向分割数と垂直方向分割数はともに「４」であるが、異なる値であってもよい。垂直方向分割数は、予め定められた数であっても良いし、管理者が設定する値であってもよい。また、垂直方向分割数は、印影表示部分６０６の形状や文字サイズなどに応じて設定する値であってもよい。
【００４７】
ここで、プロセッサ３１１が、印影表示部分６０６の形状や文字サイズなどに応じて水平方向分割数と垂直方向分割数を設定する場合について説明する。たとえば、プロセッサ３１１は、印影画像の印影表示部分６０６が複数個に分割（図７では、９分割）するように、水平方向分割数と垂直方向分割数を設定する。印影画像における印影表示部分６０６の大きさや形状などは、捺印された印影の大きさや形状などによって異なる。このため、印影画像には、印影表示部分６０６以外の余白部分が多い印影画像が存在する。印影画像の大きさや外周形状のみで水平方向分割数と垂直方向分割数とを設定した場合、プロセッサ３１１は、セキュリティ向上に寄与する分割画像を生成できないことがある。たとえば、印影表示部分６０６が上半分の領域に収まる大きさである場合、プロセッサ３１１は、印影画像を上下に２分割して分割画像を生成しても印影表示部分６０６が分割できない。このため、プロセッサ３１１は、印影表示部分６０６を複数個に分割するように、印影表示部分６０６の形状や文字サイズなどに応じて水平方向分割数と垂直方向分割数を設定する。
【００４８】
［ステップＳ２３］プロセッサ３１１は、印影画像の分割位置の初期値（分割初期位置）を設定する。分割初期位置６０５（図７に示す）は、印影画像を分割する最初の位置である。なお、分割初期位置６０５は、図７に示す例では印影画像の左上角の位置であるが、その他の位置でもよい。
【００４９】
［ステップＳ２４］プロセッサ３１１は、分割位置に基づき、印影画像を分割する。プロセッサ３１１は、分割位置を起点とし、横の長さを水平方向画像分割サイズ６０２とし、縦の長さを垂直方向画像分割サイズ６０４とした矩形領域として印影画像を分割する。印影画像を分割した各領域は、４行４列のマトリクス状に区分された１６個の分割領域（図７に示す）で示される。各分割領域は、行と列によって識別可能であり、たとえば、左上の分割領域は分割領域ａ１として識別され、右下の分割領域は分割領域ｄ４として識別される。図７の例においては、印影画像の分割数は水平方向と垂直方向ともに「４」である。なお、印影画像の分割下限数は、水平方向「２」および垂直方向「１」、または水平方向「１」および垂直方向「２」のいずれかである。
【００５０】
［ステップＳ２５］プロセッサ３１１は、ステップＳ２４で分割した分割領域が印影色（印影画像における印影の表示色）を含むか否かを判定する。たとえば、プロセッサ３１１は、分割領域ａ１，ａ２，ａ３，ｂ１，ｂ２，ｂ３，ｃ１，ｃ２，ｃ３（図７に示す）について印影色を含む領域であると判定する。また、プロセッサ３１１は、分割領域ａ４，ｂ４，ｃ４，ｄ１，ｄ２，ｄ３，ｄ４（図７に示す）について印影色を含まない領域であると判定する。プロセッサ３１１は、分割領域が印影色を含む場合はステップＳ２６にすすみ、印影色を含まない場合はステップＳ２８にすすむ。
【００５１】
［ステップＳ２６］プロセッサ３１１は、ステップＳ２４で分割した分割領域に基づき、分割画像を生成する。プロセッサ３１１は、印影画像について分割領域以外の部分を印影画像の背景の色（背景色）で塗潰した画像を生成する。
【００５２】
ここで、プロセッサ３１１が生成する分割画像６１０（図８に示す）について説明する。たとえば、ステップＳ２４で分割領域ａ１を分割した場合、プロセッサ３１１は、印影画像の分割領域ａ１以外の部分を背景色で塗潰し、分割画像ａ１ｐ６１１（図８に示す）を生成する。なお、背景色とは、印影画像における印影色以外の部分の色である。たとえば、印影画像において、印影色が黒色であり印影色以外の部分の色が白色である場合、分割画像ａ１ｐ６１１の背景色は白色となる。以降も同様にして、ステップＳ２４で分割領域ａ２を分割した場合、プロセッサ３１１は、分割領域ａ２以外の部分を背景色で塗潰し分割画像ａ２ｐ６１２（図８に示す）を生成する。同様にして、プロセッサ３１１は、分割画像ａ３ｐ６１３、分割画像ｂ１ｐ６１４、分割画像ｂ２ｐ６１５、分割画像ｂ３ｐ６１６、分割画像ｃ１ｐ６１７、分割画像ｃ２ｐ６１８、分割画像ｃ３ｐ６１９（図８に示す）を生成する。
【００５３】
なお、分割領域以外の部分を塗潰す色は、背景色と同一色に限られず、類似色などであってもよい。たとえば、背景色が薄黄色である場合、プロセッサ３１１は分割領域以外の部分を塗潰す色を白色と決定してもよい。
【００５４】
なお、プロセッサ３１１は、印影色を含む分割領域（言い換えると、印影表示部分６０６を含む分割領域）のみ、分割画像を生成する対象とする。この理由は、印影色を含まない背景色のみの分割画像が存在する場合、表示順序によっては印影色を含む分割画像の間に塗潰し画像が入らず、分割画像を連続表示する際におけるセキュリティ向上に支障が生じるおそれがあるためである。また、プロセッサ３１１は、背景色のみの分割画像を生成することを要せず、分割画像の数を抑制することができる。これにより、プロセッサ３１１は、クライアントへ送信する画像のデータ量を抑制することができる。
【００５５】
［ステップＳ２７］プロセッサ３１１は、生成した分割画像に表示順序を割当てる。プロセッサ３１１は、表示順序の初期値を「１」とし、以降は昇順に「２、３、４、…」と分割画像に対して表示順序を割当てる。たとえば、プロセッサ３１１は、最初に生成した分割領域ａ１を含む分割画像ａ１ｐに対して表示順序「１」を割当てる（図９に示す）。以降も同様にして、分割画像ｃ３ｐに対して表示順序「９」を割当てる（図９に示す）。
【００５６】
［ステップＳ２８］プロセッサ３１１は、印影画像の分割位置を決定する。プロセッサ３１１は、分割位置から右水平方向へ水平方向画像分割サイズ６０２移動した位置を、新たな分割位置として決定する。なお、プロセッサ３１１は、分割位置が印影画像の右端から水平方向画像分割サイズ６０２左水平方向に位置する場合（言い換えると、右端まで分割済みの場合）、印影画像の左端かつ下へ垂直方向画像分割サイズ６０４移動した位置を新たな分割位置として決定する。
【００５７】
［ステップＳ２９］プロセッサ３１１は、印影画像の分割が完了したか否かを判定する。たとえば、プロセッサ３１１は、ステップＳ２８で決定した分割位置が、印影画像の左端下に位置する場合、印影画像の分割が完了したと判定できる。
【００５８】
プロセッサ３１１は、印影画像の分割が完了していないと判定した場合はステップＳ２４にすすみ、印影画像の分割が完了したと判定した場合は処理を終了する。
次に、第２の実施形態の塗潰し画像差込処理について図１０、図１１を用いて説明する。図１０は、第２の実施形態の塗潰し画像差込処理のフローチャートを示す図である。図１１は、第２の実施形態の分割画像および塗潰し画像の表示順序の一例を示す図である。
【００５９】
塗潰し画像差込処理は、印影画像分割処理で生成した分割画像の間に、塗潰し画像を差し込む処理である。塗潰し画像差込処理は、サーバ処理のステップＳ１４で、制御部３１０のプロセッサ３１１が実行する処理である。
【００６０】
［ステップＳ３１］プロセッサ３１１は、塗潰し画像の色と塗潰し画像の領域とを決定する。プロセッサ３１１は、ステップＳ１２で取得した印影画像の印影色と同一色を塗潰し画像の色として決定し、横の長さ水平方向画像サイズ６０１と縦の長さ垂直方向画像サイズ６０３の矩形の領域を塗潰し画像の領域として決定する。たとえば、印影画像において印影色が黒色である場合、プロセッサ３１１は塗潰し画像の色を黒色として決定できる。また、プロセッサ３１１は、印影画像と同じ大きさの矩形領域を塗潰し画像の領域として決定できる。
【００６１】
なお、塗潰し画像の色は、印影色と同一色に限られず、類似色などであってもよい。たとえば、印影色が朱色である場合、プロセッサ３１１は塗潰し画像の色を赤色と決定してもよい。
【００６２】
［ステップＳ３２］プロセッサ３１１は、塗潰し画像の枚数を決定する。塗潰し画像の枚数は、予め定められた値（たとえば「２」）であっても良いし、印影画像の分割数に応じて算出してもよい。なお、塗潰し画像の最小枚数は、分割画像の途中で表示する塗潰し画像１枚と、分割画像の最後に表示する塗潰し画像１枚とで、合計２枚となる。
【００６３】
なお、塗潰し画像の枚数を印影画像の分割数に応じて算出する場合、たとえば、最後に表示する塗潰し画像１枚に、途中に差込む塗潰し画像の枚数を加算した値として算出できる。途中に差込む塗潰し画像の枚数は、全画像分割数を分割数下限数で割り、小数点以下を切り上げた商の値として算出できる。
【００６４】
［ステップＳ３３］プロセッサ３１１は、塗潰し画像の表示周期を決定する。表示周期とは、分割画像を何枚表示した後で塗潰し画像を表示するかを定める値である。表示周期は、分割画像の枚数を塗潰し画像の枚数で割り、小数点以下を切り上げた商の値として算出できる。たとえば、分割画像の枚数「９」を塗潰し画像の枚数「２」で割った結果は、「４．５」である。表示周期は、「４．５」を切り上げ「５」となる。この場合、プロセッサ３１１は、表示周期「５」に基づき分割画像を５枚表示した後で、塗潰し画像を表示する。
【００６５】
［ステップＳ３４］プロセッサ３１１は、ステップＳ３３で求めた表示周期に基づき、分割画像の表示順序に塗潰し画像を差込むことで、塗潰し画像と分割画像の表示順序を決定する。たとえば、表示周期「５」の場合、プロセッサ３１１は、５枚の分割画像ａ１ｐ，ａ２ｐ，ａ３ｐ，ｂ１ｐ，ｂ２ｐを表示した後で１枚目の塗潰し画像Ｆ１ｐを表示する順序とする。プロセッサ３１１は、表示順序「６」に、塗潰し画像Ｆ１ｐを差込む（図１１に示す）。これに伴い、以降の画像について図９に示した表示順序から繰り下がり、分割画像ｂ３ｐは表示順序「７」、分割画像ｃ１ｐは表示順序「８」、分割画像ｃ２ｐは表示順序「９」、分割画像ｃ３ｐが表示順序「１０」となる（図１１に示す）。また、プロセッサ３１１は、２枚目の塗潰し画像Ｆ２ｐを最後に差込む。このため、塗潰し画像Ｆ２ｐは、表示順序「１１」となる（図１１に示す）。
【００６６】
次に、第２の実施形態の画像送信処理について図１２、図１３を用いて説明する。図１２は、第２の実施形態の画像送信処理のフローチャートを示す図である。図１３は、第２の実施形態の画像ファイルの一例を示す図である。
【００６７】
画像送信処理は、分割画像と塗潰し画像とをクライアントへ送信する処理である。画像送信処理は、サーバ処理のステップＳ１５で、制御部３１０のプロセッサ３１１が実行する処理である。
【００６８】
［ステップＳ４１］プロセッサ３１１は、表示順序に基づき、塗潰し画像と分割画像を含む画像ファイルを生成する。たとえば、画像ファイル７００（図１３に示す）は、分割画像ａ１ｐ７０１と、分割画像ａ２ｐ７０２と、分割画像ａ３ｐ７０３と、分割画像ｂ１ｐ７０４と、分割画像ｂ２ｐ７０５とを含む。また、画像ファイル７００は、塗潰し画像Ｆ１ｐ７０６と、分割画像ｂ３ｐ７０７と、分割画像ｃ１ｐ７０８と、分割画像ｃ２ｐ７０９と、分割画像ｃ３ｐ７１０と、塗潰し画像Ｆ２ｐ７１１とを含む。
【００６９】
なお、画像ファイルは、分割画像と塗潰し画像が表示順序に従って連続表示できるものであればよい。たとえば、プロセッサ３１１は、分割画像と塗潰し画像を含むアニメーションＧＩＦ（Graphics Interchange Format）を画像ファイルとして生成できる。また、プロセッサ３１１は、分割画像と塗潰し画像を含むＭＰＥＧ（Moving Picture Experts Group）の規格に準じた画像ファイルを生成してもよいし、その他の規格に準じた画像ファイルを生成してもよい。また、プロセッサ３１１は、複数の分割画像と塗潰し画像とを結合させた１つのファイルを画像ファイルとして生成してもよい。
【００７０】
なお、プロセッサ３１１は、塗潰し画像と分割画像とを表示順序に従って連続表示する際における表示時間を設定してもよい。たとえば、プロセッサ３１１は、所定の時間（たとえば、１秒間）で画像ファイルに含まれる塗潰し画像と分割画像とを全て表示するように表示時間を設定してもよい。また、プロセッサ３１１は、１秒間で所定の枚数（たとえば、２０枚〜３０枚）の画像を表示するよう、表示順序に従った表示時間を設定してもよい。
【００７１】
［ステップＳ４２］プロセッサ３１１は、ステップＳ４１で生成した画像ファイル７００をクライアントへ送信する。
次に、第２の実施形態の画像送信処理について図１４、図１５を用いて説明する。図１４は、第２の実施形態のクライアント処理のフローチャートを示す図である。図１５は、第２の実施形態のクライアントで表示する画像ファイルの一例を示す図である。
【００７２】
クライアント処理は、クライアントがサーバへ印影画像要求を送信し、印影画像要求に対応する印影画像をクライアントで表示する処理である。クライアント処理は、サーバへのログイン認証が許可された後で、クライアントの制御部３１０のプロセッサ３１１が実行する処理である。
【００７３】
［ステップＳ５１］プロセッサ３１１は、印影画像要求をサーバへ送信する。
［ステップＳ５２］プロセッサ３１１は、サーバから印影画像要求に対応する画像ファイルを受信する。
【００７４】
［ステップＳ５３］プロセッサ３１１は、ステップＳ５２で受信した画像ファイルを表示する。プロセッサ３１１は、画像ファイルに応じた表示処理ができる。たとえば、プロセッサ３１１は、受信した画像ファイルがアニメーションＧＩＦである場合、クライアントでブラウザソフトを起動して印影画像を表示することができる。また、プロセッサ３１１は、受信した動画ファイルがＭＰＥＧ規格に準じた画像ファイルである場合、ＭＰＥＧ規格に対応する動画再生ソフトを起動して印影画像を表示することができる。
【００７５】
また、プロセッサ３１１は、受信した画像ファイルに複数の分割画像と塗潰し画像とが含まれている場合（図１５（Ａ）に示す）、表示順序に従って分割画像８０１，塗潰し画像８０２，分割画像８０３，塗潰し画像８０４を連続表示することで印影画像を表示できる。
【００７６】
また、プロセッサ３１１は、受信した画像ファイルが、複数の分割画像と塗潰し画像とが結合した１つの画像ファイル８０５である場合（図１５（Ｂ）に示す）、画像ファイル８０５における表示領域８０５１，８０５２，８０５３，８０５４をずらして連続表示することで、印影画像を表示できる。
【００７７】
なお、プロセッサ３１１は、画像ファイルに表示時間が設定されている場合、表示時間に従って画像ファイルを表示できる。
このように、クライアントは、サーバ３００から印影画像を分割した分割画像と塗潰し画像とを受信する。クライアントは、受信した分割画像と塗潰し画像とを連続表示する。分割画像と塗潰し画像とを連続表示した画面について、人間が見た場合は印影画像として目視され、カメラなどの画像撮影機器で盗撮された場合には印影画像の一部分または塗潰し画像が撮影される。このため、サーバ３００は、印影画像を分割した分割画像と塗潰し画像とを提供することにより、印影画像を表示する際のセキュリティを高めることが可能となる。
【００７８】
また、撮影機器の撮影速度を変更して印影画像が盗撮された場合であっても、分割画像に塗潰し画像が差込まれた画面が盗撮されるため、盗撮された画像は塗潰し画像となり印影画像の全体を撮影することは困難となる。なお、実施例においては、印影画像を例として説明したが、印影画像以外（たとえば、サインの画像など）に適用してもよい。
【００７９】
このようにして、サーバ３００は、印影画像を分割した分割画像と塗潰し画像とを提供することで、印影画像の表示におけるセキュリティを向上できる。
なお、上述のサーバ３００およびクライアントの処理は一例に過ぎず、クライアントの処理をサーバ３００で実行しても良いし、またサーバ３００の処理をクライアントで実行しても良い。
【００８０】
なお、上記の処理機能は、コンピュータによって実現することができる。その場合、情報処理装置１、サーバ３００、クライアント１００，１１０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ：Flexible disk）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【００８１】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に記憶しておき、ネットワークを介して、サーバコンピュータから他のコンピュータにそのプログラムを転送することもできる。
【００８２】
プログラムを実行するコンピュータは、たとえば、可搬型記録媒体に記録されたプログラムもしくはサーバコンピュータから転送されたプログラムを、自己の記憶装置に記憶する。コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００８３】
また、上記の処理機能の少なくとも一部を、ＤＳＰ、ＡＳＩＣ、ＰＬＤなどの電子回路で実現することもできる。
【符号の説明】
【００８４】
１  情報処理装置
２  制御部
３  第１画像
４ａ  第２画像Ａ
４ｂ  第２画像Ｂ
５  第３画像
６ａ  第４画像Ａ
６ｂ  第４画像Ｂ
６ｃ  第４画像Ｃ
６ｄ  第４画像Ｄ
１００，１１０  クライアント
２００  ネットワーク
３００  サーバ
３５０  データベース
４００  印影画像処理システム
【図１】
0006407112.tif 000002
【図２】
0006407112.tif 000003
【図３】
0006407112.tif 000004
【図４】
0006407112.tif 000005
【図５】
0006407112.tif 000006
【図６】
0006407112.tif 000007
【図７】
0006407112.tif 000008
【図８】
0006407112.tif 000009
【図９】
0006407112.tif 000010
【図１０】
0006407112.tif 000011
【図１１】
0006407112.tif 000012
【図１２】
0006407112.tif 000013
【図１３】
0006407112.tif 000014
【図１４】
0006407112.tif 000015
【図１５】
0006407112.tif 000016